(57)【要約】      （修正有）【課題】既設の電話機に簡単に後付け可能で、室内のどこでも着信報知している電話機を特定できる電話機着信報知補助装置を提供する。【解決手段】電話機着信報知補助装置は、電話機に後付けして使用するものであり、電話機の着信信号出力部に位置を合わせて取り付けられ、着信信号出力部から着信信号を得て電気信号に変換するセンサ部１２０と、電気信号を増幅する増幅部１３０と、増幅部からの電気信号を光に変換して室内の天井に照射する送光部１４０と、センサ部、増幅部、送光部を駆動する電源部１５０と、電話機に後付けするための取付部（クランプ部１１０Ａ）とを有する。【選択図】図１
0003226484.tif 000002
【実用新案登録請求の範囲】
【請求項１】
電話機に後付けして使用するものであり、前記電話機の着信信号出力部に位置を合わせて取り付けられ、前記着信信号出力部から着信信号を得て電気信号に変換するセンサ部と、前記電気信号を増幅する増幅部と、前記増幅部からの電気信号を光に変換して室内の天井に照射する送光部と、前記センサ部、前記増幅部、前記送光部を駆動する電源部と、前記電話機に後付けするための取付部と、を有し、前記送光部が前記天井に照射した反射光の視認により、前記反射光の位置の下の前記電話機が着信したと判断することを可能としたことを特徴とする電話機着信報知補助装置。
【請求項２】
前記取付部は、電話機を挟み込む一対の挟持片を有するクランプ部を備え、前記センサ部、前記増幅部と、前記送光部とともに一体構成され、前記着信信号出力部に向けて、前記センサ部を前記クランプ部の挟持片の内側に配置したことを特徴とする請求項１記載の電話機着信報知補助装置。
【請求項３】
前記センサ部を前記挟持片の挟み込む方向に配置位置を変え設定可能なセンサ部位置設定部を備えたことを特徴とする請求項２記載の電話機着信報知補助装置。
【請求項４】
前記取付部は、前記センサ部を前記電話機の前記着信信号出力部に貼付する保持部を備え、前記センサ部が外部センサとして別体構成されたことを特徴とする請求項１記載の電話機着信報知補助装置。
【考案の詳細な説明】
【技術分野】
【０００１】
本考案は、据え置き型電話機に後付けして使用するものであり、電話機の着信を、電話機を配置する室内の天井に照射する光によって報知する電話機着信報知補助装置に関するものである。
【背景技術】
【０００２】
一般に、室内に配置する電話機の着信は、スピーカーからの着信音による聴覚的な報知や、呼び出しランプによる点灯又は点滅や、電話機の各種情報を表示するディスプレイの点灯による視覚的な報知機能を備えている。
ところが、オフィスなどの室内に複数の電話機を配置している場合では、書類や文具品、机と机の間仕切り、パーテーションなどの障壁により、自席の周囲以外の電話機は着信音の報知を確認できるものの、呼び出しランプやディスプレイの点灯点滅は視界が遮られてしまい、着信を報知している電話機を特定できない場合が多い。
そこで、電話機の着信による発光を電話機の上面以外で報知することや、呼び出しランプやディスプレイの点灯点滅に代わる態様で、着信を報知する補助装置が提案されている。
【０００３】
例えば、特許文献１に記載の着信報知補助装置では、電話機の着信音の微細な振動をピエゾ素子が電気信号に変換して、着信報知補助装置からの発光および音により利用者に着信を報知している。
【０００４】
特許文献２に記載の電話機の光学的呼び出し表示装置では、電話機が着信して発光する光を、集光レンズを介して空間上部に集光照射し、電話機上方の天井に取り付けた受光表示部で光を受けて、表示ランプを駆動点灯することにより、着信中の電話機の所在を確認できるようにしている。
【０００５】
特許文献３に記載の電話機では、電話機の上面ではなく、背面等の側面に発光放射窓を設けることにより、壁に近接して配置した場合は、発光放射窓からの光を壁・家具・天井などから反射してくる、反射光として目に届けられるため、利用者は電話機が視野の外にあった場合でも、発光の認識が部屋の広い領域で行われる。
【０００６】
また、特許文献４に記載の電話機では、電話機に内蔵したライトが着信時に発光し、ライトの発光する光を凸レンズで集光させて天井を照らすことにより、着信中の電話機の所在を確認できるようにしている。
【先行技術文献】
【特許文献】
【０００７】
【特許文献１】特開２０１６−２１３６０９
【特許文献２】特開平９−３１２６７７
【特許文献３】特許第３４８６２３２号
【特許文献４】公開実用平成１−１３９６４８
【考案の概要】
【考案が解決しようとする課題】
【０００８】
しかしながら、特許文献１に記載の着信報知補助装置では、着信報知を天井に向けて照射する機能が無く、視認は部屋の一部に限られる。電話機から離れている利用者が着信中の電話機を視認するためには、着信報知補助装置を視界の遮らない場所に配置する必要があるが、室内の全ての電話機の着信報知補助装置を、視界の遮らない場所に配置することは現実的ではない。
【０００９】
特許文献２に記載の電話機の光学的呼び出し表示装置では、光を受けて表示ランプを発光する受光表示部を、電話機の上部天井に取り付ける必要があるが、天井への取付けには脚立などの高所作業機材が必要になる。電話機の配置場所を変更すると、天井の受光表示部も移動させる必要が発生すると共に、定常的に受光表示部の電源である電池の交換の必要も発生する。脚立などの高所作業機材に乗り、取り付けた受光表示部を一旦天井から外して、別の場所への取り付けや電池交換を行う作業は、手間がかかる上に危険である。
【００１０】
特許文献３に記載の電話機では、電話機の背面等の側面に、着信を報知する発光放射窓を備えているために、効果的に視認するには部屋の壁面に設置して、発光放射窓からの照射を空間上部に向ける必要性がある。通常、電話機は机上に配置していることで効率的に利用するものであり、室内の全ての電話機を視認するためには、部屋の壁面に設置が制限されてしまうので、業務に不便を生じてしまう。
【００１１】
特許文献４に記載の電話機では、天井に向けて発光するライトと集光する凸レンズが電話機に内蔵されているため、当該電話機に限り、室内のどこからでも着信中の電話機の所在を視認できるが、所在を全て視認するためには、電話機の全部が当該電話機である必要がある。従って、後付けできる装置ではないため、現在使用中の電話機には使えない。
【００１２】
このような従来の電話機の着信報知機を用いると、室内に複数の電話機を配置している場合には、何れの電話機が着信報知しているかを明確に特定できる簡易的な補助装置が無い、あるいは、天井に向けて発光するライトを具備している電話機に、全数を取り替える必要があるために、多額の設置費用が必要となる。
【００１３】
そこで本考案は、オフィスや施設などの室内に設置している既設の電話機に、簡単に後付け可能で、室内のどこでも、着信報知している電話機を特定できる電話機着信報知補助装置を提供するものである。
【課題を解決するための手段】
【００１４】
本考案の電話機着信報知補助装置は、電話機に後付けして使用するものであり、電話機の着信信号出力部から着信信号を得て電気信号に変換するセンサ部と、電気信号を増幅する増幅部と、増幅部からの電気信号を光に変換して室内の天井に照射する送光部と、これらを駆動する電源部と、電話機に後付けするための取付部と、を有し、これらが一体構成される場合には、取付部は、電話機に挟持するクランプ部の形態をとり、挟持片の挟み込む方向に配置位置を変え設定可能なセンサ部位置設定部を備え、センサ部が外部センサとして別体構成される場合には、取付部は、センサ部を電話機の着信信号出力部に貼付する保持部となっている。
以下、請求項に沿って記述する。
【００１５】
請求項１記載の考案は、電話機着信報知補助装置であって、 電話機に後付けして使用するものであり、前記電話機の着信信号出力部に位置を合わせて取り付けられ、前記着信信号出力部から着信信号を得て電気信号に変換するセンサ部と、前記電気信号を増幅する増幅部と、前記増幅部からの電気信号を光に変換して室内の天井に照射する送光部と、前記センサ部、前記増幅部、前記送光部を駆動する電源部と、前記電話機に後付けするための取付部と、を有し、前記送光部が前記天井に照射した反射光の視認により、前記反射光の位置の下の前記電話機が着信したと判断することを可能としたことを特徴とする。
【００１６】
請求項２記載の考案は、請求項１記載の電話機着信報知補助装置において、前記取付部は、電話機を挟み込む一対の挟持片を有するクランプ部を備え、前記センサ部、前記増幅部と、前記送光部とともに一体構成され、前記着信信号出力部に向けて、前記センサ部を前記クランプ部の挟持片の内側に配置したことを特徴とする。
【００１７】
請求項３記載の考案は、請求項２記載の電話機着信報知補助装置において、前記センサ部を前記挟持片の挟み込む方向に配置位置を変え設定可能なセンサ部位置設定部を備えたことを特徴とする。
【００１８】
請求項４記載の考案は、請求項１記載の電話機着信報知補助装置において、前記取付部は、前記センサ部を前記電話機の前記着信信号出力部に貼付する保持部を備え、前記センサ部が外部センサとして別体構成されたことを特徴とする。
【考案の効果】
【００１９】
以上の様に構成されているので、本考案による電話機着信報知補助装置では、既設の電話機に簡単に後付けできて、室内のいずれかの電話機に着信が検出されると、着信した電話機に付けた電話機着信報知補助装置から室内の略直上の天井に、着信信号に呼応した光の照射が行われることにより、反射して目に届けられる。天井に照射される光は、室内に配置されている事務機器・文具用品・パソコンおよびパソコン周辺機器・書類・ファイルなどに、遮られることなく視認できるために、室内の複数の電話機の中から、着信中の電話機を確実に判別することができる。
【図面の簡単な説明】
【００２０】
【図１】本考案に係る電話機着信報知補助装置の一実施形態を示す図である。
【図２】本考案に係る電話機着信報知補助装置を取り付けた一実施形態を示す図である。
【図３】本考案に係る電話機着信報知補助装置の使用状態の一実施態様を示す図である。
【図４】本考案に係る電話機着信報知補助装置の他の実施態様及び取り付けの一実施態様を示す図である。
【考案を実施するための形態】
【００２１】
本考案の実施の形態に係る電話機着信報知補助装置を図面に基づいて説明する。
図１は本考案に係る電話機着信報知補助装置の一実施形態を示す図である。
１−Ａに構成を示す。
本考案の電話機着信報知補助装置１００は、電話機に後付けして使用するものであり、電話機の着信信号出力部から着信信号を得て電気信号に変換するセンサ部１２０と、電気信号を増幅する増幅部１３０と、増幅部１３０からの電気信号を光に変換して室内の天井に照射する送光部１４０と、これらを駆動する電源部１５０と、電話機に後付けするための取付部１１０と、を有し、これらが一体構成される場合には、取付部１１０は、電話機に挟持するクランプ部１１０Ａの形態をとり、センサ部１２０が外部センサ１２０Ｂとして別体構成される場合には、取付部１１０は、外部センサ部１２０Ｂを電話機の着信信号出力部に貼付する保持部１１０Ｂとなっている。
１−Ｂ、１−Ｃには、取付部１１０がクランプ部１１０Ａの形態の場合で、電話機着信報知補助装置１００の実施態様の斜視図と側面図を示す。
一対の挟持片であるクランプ部１１０Ａは、例えば洗濯バサミ構造になっていて、上部挟持片１１１、下部挟持片１１２、軸１１３、バネ体１１４を備える。更に、上部挟持片１１１の内側には、電源部１５０、中心部には内部センサ１２０Ａであるセンサ部１２０、増幅部１３０及び送光部１４０の回路基板１３１を有していて、上面には発光放射窓１４１に覆われたＬＥＤ等の発光体１４２が設けられている。既設の電話にクランプ部１１０Ａによって電話機着信報知補助装置１００を取り付ける場合には、内部センサ１２０Ａは、電話機の着信信号出力部と位置が合うように取り付けられるので容易に着信信号を受信できる。
電話機の着信を報知する信号を得る位置に取り付ける外部センサ１２０Ｂについては、図４−Ｂにて説明する。
【００２２】
図２は本考案に係る電話機着信報知補助装置を取り付けた一実施形態を示す図である。
既設の電話機２００は、光で報知する着信発光部２１０、着信した電話番号などの情報を発光表示する着信情報表示部２２０、着信音により報知するスピーカー２３０、振動により報知する振動部、等の着信信号出力部を備えている。したがって、図示のように、既設の電話機にクランプ部１１０Ａによって電話機着信報知補助装置１００を取り付ける場合には、内部センサ１２０Ａは、電話機の着信信号出力部（この図の例では、着信発光部２１０）と位置が合うように取り付けられ、容易に着信信号を受信できる。その結果、着信があると、発光放射窓１４１から放光され、天井２４０に照射光２５０を視認でき、その下の電話機が着信したことが分かる。
【００２３】
図３は本考案に係る電話機着信報知補助装置の使用状態の一実施態様を示す図である。
オフィスなどの室内空間には、複数の机３１０が設置されている。この図では、簡単のために２台の机が描いてある。自席の電話機２００以外は、着信音は聞こえるが視認できないことが多いが、電話機２００に電話機着信報知補助装置１００を装着することにより、電話機が着信すると電話機着信報知補助装置１００は略直上の天井２４０へ照射光２５０を照射するため、その下の電話機２００に着信があることを、着信音を合図にして天井を視認することにより、同室内のどこに居ても着信中の電話機２００が即座に判明する。
沢山の机の上にある電話のどれが着信しているかは、離れて陰になった人からは、分からない。しかしながら、後付けした電話機着信報知補助装置１００があれば、着信した電話機の天井に照射光２５０の反射光が遠くの人にも視認できて、極めて好都合である。
【００２４】
図４は本考案に係る電話機着信報知補助装置の他の実施態様及び取り付けの一実施態様を示す図である。
４−Ａでは、電話機着信報知補助装置の電話機への挟み方の別態様を示したものである。上部挟持片１１１と下部挟持片１１２の接続部分に引きバネ４１０を設け、上部挟持片１１１と下部挟持片１１２を上下に広げることにより、引きバネ４１０が上下に伸び、バネの収縮する力で電話機２００に挟む様態である。
４−Ｂでは、センサ部１２０が外部センサ１２０Ｂの場合を述べる。
電話機着信報知補助装置１００が電話機に挟み止めない態様を示したものである。電話機着信報知補助装置１００に接続コード１６０で接続する外部センサ１２０Ｂを、電話機２００の着信発光部２１０、着信した電話番号などの情報を発光表示する着信情報表示部２２０、音により報知するスピーカー２３０、振動により報知する振動部の何れかの近傍に保持部１１０Ｂにより貼付する。電話機着信報知補助装置１００の本体は電話機２００から独立して配置する。本態様は電話機の筐体の形状により、挟むことができない場合に有効である。
４−Ｃでは、上部挟持片１１１の挟み込む方向に配置位置を変えて設定可能なセンサ部位置設定部１２１について述べる。
上部挟持片１１１の内側にある挟み込む方向のスリット４２０に沿って、配置位置を移動する内部センサ１２０Ａであるセンサ部位置設定部１２１を設け、電話機の着信信号出力部と位置を合わせた後に挟持する。本態様は電話機の筐体の形状により、上部挟持片１１１の中心部と電話機の着信信号出力部の位置を、合わせて挟持することができない場合に有効である。
【産業上の利用可能性】
【００２５】
以上のように本考案の電話機着信報知補助装置は、後付けで電話機に装着することにより、着信に呼応して、光を天井に照射するため、天井を視認することにより、容易に着信中の電話機を特定でき、産業上利用して極めて好都合である。
【符号の説明】
【００２６】
１００  電話機着信報知補助装置
１１０  取付部
１１０Ａ  クランプ部
１１０Ｂ  保持部
１１１  上部挟持片
１１２  下部挟持片
１１３  軸
１１４  バネ体
１２０  センサ部
１２０Ａ  内部センサ
１２０Ｂ  外部センサ
１２１  センサ部位置設定部
１３０  増幅部
１３１  回路基板
１４０  送光部
１４１  発光放射窓
１４２  発光体
１５０  電源部
１６０  接続コード
２００  電話機
２１０  着信発光部
２２０  着信情報表示部
２３０  スピーカー
２４０  天井
２５０  照射光
３１０  机
４１０  引きバネ
４２０  スリット
【図１】
0003226484.tif 000003
【図２】
0003226484.tif 000004
【図３】
0003226484.tif 000005
【図４】
0003226484.tif 000006